(57)【要約】【課題】加工しやすく、使いやすく、触り心地もよい圧搾式チューブ構造を提供する。【解決手段】  圧搾式チューブ構造は、底部に封ができ、液体を収容し、且つ、前端に開放口があり液体が前記開放口のみから流れ出る仕組みのチューブと、開放口を覆い、第一液体出口孔を持つヘッドと、ソフト状の材料から成り、ヘッドの周囲を覆い、更に前記ヘッドの第一液体出口孔に対して第二液体出口孔を持つ被覆物を具備する。【選択図】  図５
0003120604.tif 000002
【実用新案登録請求の範囲】
【請求項１】
底部に封ができ、液体を収容し、且つ、前端に開放口があり、前記液体が前記開放口のみから流れ出る仕組みのチューブと、
前記開放口を覆い、第一液体出口孔を持つヘッドと、
ソフト状の材料から成り、前記ヘッドの周囲を覆い、更に前記ヘッドの前記第一液体出口孔に対して第二液体出口孔を持つ被覆物を具備することを特徴とする圧搾式チューブ構造。
【請求項２】
前記チューブと前記ヘッドが一体型であることを特徴とする請求項１に記載の圧搾式チューブ構造。
【請求項３】
前記被覆物と前記ヘッドが前記チューブの前端に一体型に形成されることを特徴とする請求項１に記載の圧搾式チューブ構造。
【請求項４】
前記被覆物の表面には複数の凹孔があることを特徴とする請求項１に記載の圧搾式チューブ構造。
【考案の詳細な説明】
【技術分野】
【０００１】
本考案はチューブ構造に関するもので、特に圧搾式チューブ構造に係るものである。
【背景技術】
【０００２】
圧搾式チューブは軽くて使いやすいという特徴があり、食品の包装にとどまらず、たとえば、化粧品、歯磨き粉、靴クリームといった、日常生活用品の包装にも恒常的に使われている。ここでは、現在女性が持ち歩く口紅のチューブを例にとってみよう。このタイプのチューブはヘッド部分で直接塗る丸いヘッド式となっており、丸いヘッドの中央に液体孔がある。使用する際には、口紅の液体を出すのと同時に、その丸いヘッドを利用して直接唇に塗る。チューブのヘッドについては丸いヘッドと唇のかたちが同じではないため、塗るとムラがあり、唇の形を把握しきれないという欠点がある。また同時に、丸いヘッドは口紅の液体があふれ出すおそれがあり、ふたの中からしみ出して他のものを汚してしまうおそれがある。
【０００３】
このため、チューブ構造を発展させて、チューブのヘッドは斜面となっている。図１、図２で、従来の技術でのヘッドの外観図と部分図を示す。チューブのヘッド２０の斜面２１の中心に液体出口孔２２がある。使用する際には、チューブ１０を絞り出して口紅の液体を出すのと同時に、その斜面２１を利用して直接唇に塗る。斜面２１を設置する原理は口紅に斜面があるのと同じ原理で、唇と更にフィットし、より美しく唇の形を描き出せる。但し、この斜面２１のチューブのヘッド２０は固い接触面であり、口紅を塗る際に、少し力を入れると、口紅の液体が斜面２１の四方にあふれ出し、上述の丸いヘッドのチューブが他のものを汚すだけでなく、使用者がふっくらした唇の色の効果を描き出すことができなくなる。
【０００４】
図３、図４は、現在の市場マーケットでよく見かけるブラシヘッドのチューブの外観図と部分図を示す。ブラシヘッド３２は上述の二つの構造上の欠点を改善したものである。但し、ブラシヘッド３２の材料は、チューブのヘッド２０の加工過程において、乾燥した加工状況を保ち、ブラシヘッド３２の衛生状態を保つという条件に適合しなければならない。このため、このタイプのブラシヘッド３２のチューブ１０は、加工作業が大変複雑で、生産コストも非常に高い。そのほかに、ブラシヘッド３２は、長期にわたって使用すると、品質が悪化し、毛が抜け、カビが生えるといった問題もみられる。
【考案の開示】
【考案が解決しようとする課題】
【０００５】
本考案の主な目的は圧搾式チューブ構造において、ヘッドを柔らかい材料で覆っており、加工しやすく、使いやすく、触り心地もよく、大体において従来の技術における欠点を解消することにある。
【０００６】
本考案のもう一つの目的は圧搾式チューブ構造において、従来のブラシヘッドの代わりに柔らかい材料の被覆物を用い、耐性が強まり、衛生上の問題点が減少することにある。
【課題を解決するための手段】
【０００７】
上述の目的を達成するために、本考案の圧搾式チューブ構造は、チューブを用い、ヘッドと被覆物により構成される。チューブは底部に封をしており、液体を収納できる。チューブ本体には開放口があり、液体は開放口のみから流れ出る。ヘッドは開放口を覆っており、第一液体出口孔を持つ。第一液体孔は、さらに、ヘッドの形に合わせて作られており、ヘッド上を柔らかい材料の被覆物で覆われている。この被覆物はチューブヘッドの第一液体孔に対して、第二液体孔を併せ持つ。
【０００８】
本考案の圧搾式チューブ構造は、チューブヘッドに柔らかい被覆物が突き出ており、柔らかい被覆物のヘッドを利用して直接チューブ内の絞り出した液体を塗る際に、被覆物は一定のクッション作用を持ち、且つ液体を均一にむらなく塗ることができ、さらに、使用者が接触するヘッドの感触がよい。また被覆物はチューブ上を加工する際、加工のための特殊な状況を整える必要がなく、加工しやすい。
本考案の特徴と実例に関する、図と詳しい説明は下記の通りである。  
【考案を実施するための最良の形態】
【０００９】
図５，図６は、本考案の実施例の圧搾式チューブ構造の外観図と部分図である。この圧搾式チューブ構造はチューブ４０，ヘッド５０、被覆物６０を含む。チューブ４０はチューブであり、先端に開放口４１があり、底部で封ができる。液体を収納し、液体を開放口４１のみから流し出す。ヘッド５０は開放口４１にあり、ヘッド５０とチューブ４０は一体型である。また、ヘッド５０の中心には第一液体出口孔がある。被覆物６０はヘッド全体に合わせた形をしており、ヘッド５０を覆っている。この被覆物６０は対応するヘッド５０の第一出口孔５１と第二出口孔を持つ。チューブ４０内の液体は第一出口液体孔５１と第二液体出口孔６１を通って外に流れ出す。
【００１０】
本実施例の内、このソフト状の被覆物６０はヘッド５０との一体型でチューブ４０の前方に位置する。そのほかに、ソフト状被覆物６０は食品衛生基準に合ったソフト状の材料で製造されており、食品の包装や化粧品のチューブに応用できる。また、工業用ソフト状の材料を用い、その他の特殊ではない条件のチューブに応用できる。
【００１１】
次に、化粧品チューブを例に、ソフト状の被覆物６０に関しての有効な効能を説明しよう。
図７と図８は、本発明のもう一つの実施例である圧搾式チューブ構造の外観図と部分図である。このチューブ構造は化粧品の包装に用い、例えば口紅なら、ヘッド５０の端に斜面５２をほどこし、また同時に、被覆物６０の端は対応する斜面６２がほどこされる。このソフト状の被覆物６０のヘッド５０を利用して口紅を塗る際、ソフト状の被覆物６０は一定のクッション作用を持ち、口紅を均一にムラなく唇の上に塗ることができる。さらに、唇と触れる際、触感がソフトで心地よい。
【００１２】
この圧搾式ソフト構造は更に、ソフト状の被覆物６０上の斜面６２に凹孔６３が複数ある。絞り出して口紅を塗る際、出過ぎた口紅はこれらの凹孔６３の中に埋まり、続けて唇に塗る際に、力を入れて、続けて凹孔６３の中の口紅を使うことができる。塗ると更に豊満な口紅の効果があり、同時に絞り出した口紅が斜面６２に向かってあふれ出すのを防ぐ。
【００１３】
上記の通り、本考案の圧搾式チューブ構造はチューブのヘッドに柔らかい被覆物があり、使用者は使用上心地よく、従来のブラシヘッドのこわれやすく、かびやすい欠点をなくし、耐用度があがり、衛生上の問題が減少している。
次に、チューブ上に加工したソフト状の被覆物のチューブヘッドがあり、加工のための特殊な状況は必要なく、加工がしやすい。
このほかに、本考案の圧搾式チューブ構造は被覆物の側面に凹孔があり、あふれ出た多すぎた液体を収納し、更に液体が流れ出すのを防ぎ、使いすぎを防止し、便利である。
【００１４】
以上、述べてきたのは、本考案の最良の実施例にすぎず、本考案の実施の範囲を限定するものではない。故に、本考案の申請範囲が述べた形状、構造、特徴及び考えは一定の変化や修飾をしようとも、本考案の申請の範囲とする。        
【図面の簡単な説明】
【００１５】
【図１】従来の技術のチューブの外観図と部分図である。
【図２】従来の技術のチューブの外観図と部分図である。
【図３】従来の技術のブラシヘッドのチューブの外観図と部分図である。
【図４】従来の技術のブラシヘッドのチューブの外観図と部分図である。
【図５】本考案の実施例の圧搾式チューブ構造の外観図と部分図である。
【図６】本考案の実施例の圧搾式チューブ構造の外観図と部分図である。
【図７】本考案の斜面と凹孔の実施例の圧搾式チューブ構造の外観図と部分図である。
【図８】本考案の斜面と凹孔の実施例の圧搾式チューブ構造の外観図と部分図である。
【符号の説明】
【００１６】
１０    チューブ
２０    勾配
２２    液体出口孔
３２    ブラシヘッド
４０    チューブ
４１    開放口
５０    ヘッド
５１    第一液体出口孔
５２    勾配
６０    被覆物
６１    第二液体出口孔
６２    勾配
６３    凹孔
【図１】
0003120604.tif 000003
【図２】
0003120604.tif 000004
【図３】
0003120604.tif 000005
【図４】
0003120604.tif 000006
【図５】
0003120604.tif 000007
【図６】
0003120604.tif 000008
【図７】
0003120604.tif 000009
【図８】
0003120604.tif 000010